(57)【要約】【課題】シート材を供給する開口部に埃が入らなく、コンパクトで操作性の良い画像読取記録装置を提供する。【解決手段】記録紙トレイ３２の開閉は、圧板２１の開閉とは干渉しないようになっており、お互いどの角度の状態であっても、開閉可能となっている。このように記録紙トレイ３２が折り畳めることにより、通常使わない時は出っ張りがなくコンパクトにできるだけでなく、記録部を使用しないときには記録紙を装置へ供給する開口部である給紙部等に埃等が入るのも防止することができる。【選択図】　図１１
2004093737.tif 000002
【特許請求の範囲】
【請求項１】
原稿を載置する原稿台と、
該原稿台上の原稿画像を読み取る原稿読取手段と、
一辺を回動軸として前記原稿台から開放可能に設けられ前記原稿台に載置された原稿を原稿台側に押圧するカバー部材と、
複数枚のシート材を積載するシート材積載部と、
該シート材積載部に積載されたシート材を１枚ずつ分離して給送するシート材給送部と、
前記原稿読取手段の下方に配置され前記シート材給送部から給送されたシート材に画像を記録する画像記録手段と、
を有する画像読取記録装置において、
前記シート材積載部は開閉状態へ回動可能なシート材を支持する第１支持部材を有し、
前記カバー部材の開閉時における回動角の領域が、前記第１支持部材の開閉時における回動角の領域と重ならないことを特徴とする画像読取記録装置。
【請求項２】
前記シート材給送部が装置後方に配置され、前記カバー部材は装置後方の一辺を回動軸として開閉方向が装置前方を開放することを特徴とする請求項１に記載の画像読取記録装置。
【請求項３】
前記第１支持部材が閉状態の時に前記シート材積載部のシート材を供給する開口部を塞ぐことを特徴とする請求項１または請求項２に記載の画像読取記録装置。
【請求項４】
前記シート材積載部は回動可能で前記第１支持部材に収納可能なシート材の端部を支持する第２支持部材を有することを特徴とする請求項１乃至請求項３のいずれか１項に記載の画像読取記録装置。
【発明の詳細な説明】
【０００１】
【発明の属する技術分野】
本発明は、例えばファクシミリ、複写機、複合機等の画像読取記録装置に関するものである。
【０００２】
【従来の技術】
従来、図１８に示すように、ファクシミリ機能や複写機機能を有する複合機では、画像等を読み取るために原稿台８０にセットされた原稿を押える圧板８１が、装置の正面側（図中右側）から矢印Ｊ方向に回動可能に設けられている。また、装置内の図示しない画像形成部で画像が形成される記録紙を供給するための給紙装置８２が装置の後側に配置されており、給紙装置８２に設けられている記録紙を保持するための記録紙トレイ８２ａが矢印Ｋ方向に回動可能に設けられている。
【０００３】
記録紙トレイ８２ａが開いた状態では記録紙トレイ８２ａは画像形成部に供給するための記録紙を支持し、記録紙トレイ８２ａが閉じられた状態では記録紙トレイ８２ａは給紙口８３を覆う。
【０００４】
記録紙トレイ８２ａが閉じられた状態ではさらに記録紙トレイ８２ａの先端部８２ｂは圧板８１の上に覆い被さるように構成されている。
【０００５】
【発明が解決しようとする課題】
しかしながら、上記従来技術では、圧板８１を開放して原稿をセットし画像を読み取るためのスキャナ機能を使用する場合、記録紙トレイ８２ａが閉じられたままの状態では記録紙トレイ８２ａが圧板８１の開放時に圧板８１と一体的に回動し、圧板８１を閉じても記録紙トレイ８２ａが開いた状態となり、そのままにしておくと記録紙を供給する給紙口８３から埃が入ってしまうという問題があった。
【０００６】
本発明は上記従来技術に鑑みてなされたものであり、その目的とするところは、シート材を供給する開口部に埃が入らなく、コンパクトで操作性の良い画像読取記録装置を提供することにある。
【０００７】
【課題を解決するための手段】
上記目的を達成するために本発明にあっては、
原稿を載置する原稿台と、
該原稿台上の原稿画像を読み取る原稿読取手段と、
一辺を回動軸として前記原稿台から開放可能に設けられ前記原稿台に載置された原稿を原稿台側に押圧するカバー部材と、
複数枚のシート材を積載するシート材積載部と、
該シート材積載部に積載されたシート材を１枚ずつ分離して給送するシート材給送部と、
前記原稿読取手段の下方に配置され前記シート材給送部から給送されたシート材に画像を記録する画像記録手段と、
を有する画像読取記録装置において、
前記シート材積載部は開閉状態へ回動可能なシート材を支持する第１支持部材を有し、
前記カバー部材の開閉時における回動角の領域が、前記第１支持部材の開閉時における回動角の領域と重ならないことを特徴とする。
【０００８】
上記構成では、カバー部材を開放して原稿をセットしスキャナ機能を使用する場合、カバー部材の開閉と第１支持部材の開閉とが干渉しないようになっているので、第１支持部材が閉じた状態の時には、カバー部材の開閉動作によらず第１支持部材が開いた状態にならないので、開口部に埃が入ることを防止することができる。
【０００９】
また、第１支持部材を閉じた状態にできるので装置をコンパクトにすることができる。
【００１０】
前記シート材給送部が装置後方に配置され、前記カバー部材は装置後方の一辺を回動軸として開閉方向が装置前方を開放することが好適である。
【００１１】
上記構成では、シート材給送部の上部でカバー部材が開かれるため、設置面積を小さくすることができる。
【００１２】
前記第１支持部材が閉状態の時に前記シート材積載部のシート材を供給する開口部を塞ぐことが好適である。
【００１３】
上記構成では、通常不使用時には第１支持部材の出っ張りがなくコンパクトにできるだけでなく、開口部等に埃等が入るのも防止することができる。
【００１４】
前記シート材積載部は回動可能で前記第１支持部材に収納可能なシート材の端部を支持する第２支持部材を有することが好適である。
【００１５】
上記構成では、長いシート材を使用するときには第２支持部材を開いた状態にしてシート材を支持することができ、積載性能を向上することができる。また短いシート材を使用するときには第２支持部材を第１支持部材に収納することで装置をコンパクトにすることができる。
【００１６】
また、第１支持部材を閉じた状態にする場合、第２支持部材を第１支持部材に収納することで、第２支持部材を第１支持部材と一体的に回動することができ、操作性を向上することができる。また、第１支持部材と一体的に閉じられた状態にできるので装置をコンパクトにすることができる。
【００１７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１８】
図１〜図１７を参照して、実施の形態に係る画像読取記録装置を図に従って説明する。
【００１９】
図１は本実施の形態に係る画像読取記録装置の斜視図である。図２は本実施の形態に係る画像読取記録装置の中央断面図である。図１、図２に示すように、画像読取記録装置は、装置の操作や表示をするパネル部１、原稿読取手段としての画像読取部２、記録部３、電気基板部４、カードスロット部５により構成されている。
【００２０】
まず、パネル部１について説明する。図３はパネル部の拡大斜視図である。図４はパネル部の部分断面図である。図５はパネルユニットの裏面図である。
【００２１】
パネル部１の構造として、パネルカバー１１にキー１２ａ〜１２ｆがはまっておりパネル基板１６がネジ止めされている。なお、キー１２ａ〜１２ｃは不図示の個所で一体的に構成されておいる。
【００２２】
パネル基板１６上には、タクトスイッチ１９がキー１２ａ〜１２ｆの下に半田付けされている。また、パネル基板１６上には、スペーサ１５を介して、ＬＣＤ１４が装着されている。このＬＣＤ１４の上にはＬＣＤ窓１３が取り付けてある。また、パネル基板１６の裏面には、電解コンデンサ１７が半田付けされている。
【００２３】
次に、カードスロット部５について説明する。図１に示すように、カードスロット部５はパネル部１の下に配置されており、本体の正面に配置されている。
【００２４】
図６はパネル部１を取り外した時の図である。カードスロット部５は、カード基板５１、カードコネクタ部５２、イジェクトボタン５３で構成されている。
【００２５】
本体上の挿入口５４からＰＣカードが挿入できるようになっている。また、挿入されたＰＣカードはイジェクトボタン５３を押すことにより、取り外しが出来る。
【００２６】
このＰＣカードは、ＰＣＭＣＩＡの規格に準拠したカードのことであり、本実施の形態では、コンパクトフラッシュ（登録商標）、スマートメディア、メモリースティック、ＳＤカードなどの各種メモリーカードを各メモリーカードに対応したアダプタを介したものを示している。
【００２７】
カードスロット部５は、デジタルカメラの画像等をＰＣカードを通じて、本体に読み込ませ、それらを記録部３から直接印刷させること、また、ＰＣと直接接続することによりメモリーカードをＰＣよりリード、ライトさせることができる。
【００２８】
次に画像読取部２の説明をする。図７は原稿をセットする際の本体図である。
【００２９】
原稿を裏向きにセットするガラス２３を有し、突き当て基準白１２３がガラス２３の上面から貼り付けてある。突き当て基準白１２３は、原稿の端部の突き当て部となると同時にガラス２３を通して裏側からの読み取りの絶対白基準となる役割がある。ガラス２３はカバー１２５により上から押えられている。
【００３０】
原稿の浮きを押えるカバー部材としての圧板２１が装置後方の一辺のヒンジ１２４を介して回動可能に取り付けられている。圧板２１にはスポンジと白色シートで構成されている圧板白シート２２が貼り付けられている。
【００３１】
ここで、圧板２１の回動方向はヒンジ１２４のある装置後方の一辺を回動軸として開閉方向が装置前方を大きく開放する装置前後方向であり、開放状態の時には圧板２１は後述の給紙部の上部にあるため、設置面積を小さくすることができる。
【００３２】
図８は図７からガラス２３、カバー１２５を外した状態で、画像読取部２の内部構造がわかるようにしたものである。これらの内部部品はすべてスキャナフレーム１２０に取り付けられている。
【００３３】
画像を読み取るコンタクトイメージセンサー（以下、ＣＩＳ）２４を保持しているＣＩＳホルダー２７が、軸２５の上をガイドされて動くようになっている。
【００３４】
また、ＣＩＳホルダー２７はモータ２８を動力として、駆動ギア部１２２で減速され、タイミングベルト２６を介して駆動されている。タイミングベルト２６は駆動ギア部１２２との対向部のプーリー２９に掛けられている。
【００３５】
これらの動作について説明すると、コピーやＰＣからのスキャン動作の時に、ＣＩＳ２４とＣＩＳホルダー２７が、矢印Ａの方向に駆動され、ガラス２３を介して原稿を読み取る。
【００３６】
次に、記録部３について説明する。図２で示すように、矢印Ｂの方向にシート材としての記録紙１００ａは搬送される。
【００３７】
第１支持部材としての記録紙トレイ３２と第２支持部材としての記録紙補助トレイ３１を開いた状態にした外観図が図９であり、図２と合わせて説明すると、ＡＳＦベース３０と中板３６にセットされた記録紙１００ａの先端部は記録紙トレイ３２と記録紙補助トレイ３１により保持されている。
【００３８】
また、記録紙１００ａは左右方向にスライド可能なスライダー３３により、端部をガイドされており、斜行等を防止している。
【００３９】
記録紙補助トレイ３１は、ヒンジ部３１ａを中心に矢印Ｃの方向に回転可能で記録紙トレイ３２に収納できる。
【００４０】
また、記録紙トレイ３２は、ヒンジ部３２ａを中心に矢印Ｄの方向に回転可能であり、本体に突き当たるまで回転することができる。
【００４１】
図１０は図２の記録紙トレイ３２と記録紙補助トレイ３１を開いた状態の外観図、図１１が記録紙トレイ３２と記録紙補助トレイ３１を閉じた状態の外観図である。
【００４２】
なお、記録紙トレイ３２の開閉は、図７の圧板２１の開閉とは干渉しないようになっており、お互いどの角度の状態であっても、開閉可能となっている。このように記録紙トレイ３２が折り畳めることにより、通常使わない時は出っ張りがなくコンパクトにできるだけでなく、記録部３を使用しないときには記録紙１００ａを装置へ供給する開口部である給紙部等に埃等が入るのも防止することができる。
【００４３】
また、記録紙補助トレイ（第２支持部材）３１を回動可能で記録紙トレイ（第１支持部材）３２に収納可能に設けたことにより、長いシート材を使用するときには記録紙補助トレイ（第２支持部材）３１を開いた状態にし、シート材を支持することで、積載性能を向上することができる。また短いシート材を使用する場合には、記録紙補助トレイ（第２支持部材）３１を記録紙トレイ（第１支持部材）３２に収納することで装置をコンパクトにすることができる。
【００４４】
さらに、記録紙トレイ（第１支持部材）３２を閉じた状態にする場合、記録紙補助トレイ（第２支持部材）３１を記録紙トレイ（第１支持部材）３２に収納することで、記録紙補助トレイ（第２支持部材）３１を記録紙トレイ（第１支持部材）３２と一体的に回動することができ、操作性を向上することができる。また、記録紙補助トレイ（第２支持部材）３１を記録紙トレイ（第１支持部材）３２と一体的に閉じられた状態にできるので装置をコンパクトにすることができる。
【００４５】
以上のように積載された記録紙１００ａは、不図示のカムにより中板３６が押し上げられ、給紙ローラ３４と分離ローラ３５により構成されるシート材給送部としての給紙部にて一枚に分離され給送される。
【００４６】
この分離機構は、実際に駆動されるのは給紙ローラ３４で、分離ローラ３５は、回転方向に一定以上のトルクがかからないと回転しないようになっており、複数枚の紙がこのローラ間に入ったとき、紙を分離する力より分離ローラを回転させる力の方が強いので、一枚ずつ記録紙を搬送することができる。
【００４７】
これらのローラで分離された原稿は搬送ローラ３７ａとピンチコロ３７ｂとの間に搬送され、一定速度で画像記録手段としてのインクジェット印字部に搬送される。
【００４８】
図１２は正面からカートリッジドア１３３を開けた図である。インクジェット印字部にはプリントヘッドを一体的に構成しているカートリッジ３９、カラーインクタンク３８ａとブラックインクタンク３８ｂが装着されている。
【００４９】
カートリッジ３９は、ガイドシャフト１３４にガイドされ記録紙の送り方向に対して垂直方向に動かすことにより、記録紙に印字する。
【００５０】
印字された記録紙は、排紙ローラ対１３０により、記録紙排紙トレイ１３１と記録紙排紙補助トレイ１３２に排出される。
【００５１】
なお、カートリッジドア１３３を図１２の矢印Ｇの方向に開けることにより、通常、ユーザは外部からカラーインクタンク３８ａとブラックインクタンク３８ｂを交換することができる。
【００５２】
カートリッジドア１３３には、図１３に示すような突起部１３３ａがあり、アクチエータ１３５を押し、制御基板４１の裏に実装されているフォトインタラプタ４２を遮ったりして、カートリッジドア１３３の開閉を検知している。
【００５３】
なお、通常、カートリッジ３９のヘッド部が乾燥してしまうのを防止するために図示しない図１２の右奥側に退避している。
【００５４】
しかし、このカートリッジドア１３３の開閉を検知することにより、カートリッジドア１３３が開いたことを検知すると、ユーザがカラーインクタンク３８ａやブラックインクタンク３８ｂを交換できるような図１２の位置にカートリッジ３９が移動する。
【００５５】
また、記録紙排紙トレイ１３１および記録紙排紙補助トレイ１３２は、記録を行っていないときは、記録紙排紙補助トレイ１３２を矢印Ｅの方向にスライドさせ、記録紙排紙トレイ１３１の中に収納できる。
【００５６】
さらに、記録紙排紙トレイ１３１は矢印Ｆの方向に閉じることができ、最終的には図１のような状態にすることができる。
【００５７】
逆に、カラーインクタンク３８ａやブラックインクタンク３８ｂを交換するには、まず、図２の矢印Ｆと反対方向に記録紙排紙トレイ１３１を開き、図９のような状態にし、さらに、カートリッジドア１３３を図１２の矢印Ｇ方向に開くことにより交換等のメンテナンスを行うことができる。
【００５８】
このカートリッジドア１３３は、記録紙排紙トレイ１３１と違い、矢印Ｇの開く方向が横方向であるため、カートリッジ３９の手前側に手を入れるスペースを広くできるメリットがある。
【００５９】
なお、本実施の形態で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００６０】
その代表的な構成や原理については、例えば、米国特許第４７２３１２９号明細書、米国特許第４７４０７９６号明細書に開示されている基本的な原理を用いて行うものが好ましい。
【００６１】
この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００６２】
この気泡の成長、収縮により吐出用開口を介して液体（インク）を吐出させて、少なくとも１つの滴を形成する。この駆動信号をパルス形状にすると、即時適切に気泡の成長収縮が行われるので、特に応答性に優れた液体（インク）の吐出が達成でき、より好ましい。
【００６３】
このパルス形状の駆動信号としては、米国特許第４４６３３５９号明細書、同第４３４５２６２号明細書に記載されているようなものが適している。
【００６４】
なお、上記熱作用面の温度上昇率に関する発明の米国特許第４３１３１２４号明細書に記載されている条件を採用すると、さらに優れた記録を行うことができる。
【００６５】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。
【００６６】
加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００６７】
さらに、画像読取記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００６８】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００６９】
また、本発明の画像読取記録装置の構成として設けられる、記録ヘッドに対しての回復手段、予備的な補助手段等を付加することは本発明の効果を一層安定にできるので好ましいものである。
【００７０】
これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００７１】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００７２】
次に電気基板部４について説明する。図１４は全体の電気基板の構成と周辺の構成を表した図である。
【００７３】
ボトムケース３００に電源４５が取り付けてあり、その上から記録部３が取り付けてある。電源４５のインレット４５ａは外部より電源コードが取り付けられる。
【００７４】
インレット４５ａは抜き差し時に根元に力がかかり基板から引き剥がされる力がかかるため、電源窓１４０をつけてボトムケース３００に電源窓１４０を直接ネジ止めしている。
【００７５】
電源部詳細図の図１５に示すように、インレット溝４５ｂに電源窓端部１４０ａが入り、電源窓穴１４０ｂとボトムケースビス穴３００ａとがネジ止めされる。
【００７６】
中継基板４４は、記録部３のモータのコネクタ４６、記録紙の位置を検出するフォトインタラプタ４７、中板３６を押し下げるカムの位置を検出するフォトインタラプタ４８が実装されており、これらをコネクタ４９からまとめて制御基板４１と接続されている。これにより、制御基板４１との接続が集中できるため、組立が容易になる。
【００７７】
記録部３の上にはミドルフレーム２００を取り付け、ミドルフレーム２００には制御基板４１と、前述のカード基板５１がほぼ同一の高さに取り付けてある。
【００７８】
制御基板４１は、本体では後方に取り付けてある。また、制御基板４１には、ＵＳＢコネクタ４３が実装されており、図１１の背面カバーの開口部と符合している。
【００７９】
図６と図１５に示したように、ミドルフレームの左面２００ａは基板取り付け面より高くなっている。これは、前述のカラーインクタンク３８ａやブラックインクタンク３８ｂ交換の際のカートリッジ３９の交換位置の上に当る位置であり、カートリッジ３９の上の天井を高くすることにより、手の入るスペースを確保したものである。
【００８０】
また、ミドルフレームの左端２００ｂは基板取り付け面と同じ高さになっている。これにより、画像読取部２の駆動ギア部１２２が出っ張っており、それが収まるスペースとなっている。
【００８１】
図１７は図１６にパネル部１を取り付けた図で、前述のように、カードスロット部５のほぼ真上に配置されており、制御基板４１との接続が容易となっている。
【００８２】
このような基板配置された状態で、図１４において、画像読取部２が上から収まる構成となっている。以上のような、電気基板構成にすることにより、デッドスペースがほとんどなく、効率的にかつ、使いやすいレイアウトにできている。
【００８３】
次に画像読取記録装置のオペレーションの一例について説明する。図１のパネル部１のキーを操作することにより動作させる。
【００８４】
例えば、コピーを行うときの操作について説明する。電源キー１２ｆを押す。次に、機能キー１２ｃでコピーキーを選択する。メニューキーで、画質、記録させるメディアを選択、矢印キー１２ａでコピー枚数を設定する。カラー選択キー１２ｂでカラーコピーか、白黒コピーかを選択する。その後、圧板２１を開けて、コピーしたい原稿をガラス２３上にセットする。記録紙を記録紙トレイ３２にセットし、最後にパネル部１のスタートキー１２ｅを押すと、コピーができる。
【００８５】
このように、パネル部１のキーは、操作する順番に左から右に操作することにより、すべての操作が抜けなく、自然におこなうことができるように配置されている。
【００８６】
操作方法の例として、コピーを説明したが、最初の機能キー１２ｃで、スキャンを選択すると、ＵＳＢ４３を通じて接続されているＰＣからのスキャンをさせることができる。また、写真を選択すると、前述のカードスロット部５に挿入されている画像を直接記録部３に記録させることができる。
【００８７】
【発明の効果】
以上説明したように、本発明は、第１支持部材の開閉と、カバー部材の開閉とが干渉しないようになっており、お互いどの角度の状態であっても、開閉可能となっている。このように第１支持部材が折り畳めることにより、通常使わない時は出っ張りがなくコンパクトにできるだけでなく、開口部に埃等が入るのも防止することができる。
【図面の簡単な説明】
【図１】実施の形態に係る画像読取記録装置を示す斜視図である。
【図２】実施の形態に係る画像読取記録装置を示す断面図である。
【図３】実施の形態に係る画像読取記録装置のパネル部を示す拡大図である。
【図４】実施の形態に係る画像読取記録装置のパネル部を示す断面図である。
【図５】実施の形態に係る画像読取記録装置のパネル部の裏面図である。
【図６】実施の形態に係る画像読取記録装置の電気基板の取り付け図である。
【図７】実施の形態に係る画像読取記録装置の圧板を開いた状態図である。
【図８】実施の形態に係る画像読取記録装置の画像読取部の構造図である。
【図９】実施の形態に係る画像読取記録装置の記録紙トレイを開いた状態の外観図である。
【図１０】実施の形態に係る画像読取記録装置の記録紙トレイを開いた状態の背面外観図である。
【図１１】実施の形態に係る画像読取記録装置の記録紙トレイを閉じた状態の背面外観図である。
【図１２】実施の形態に係る画像読取記録装置のカートリッジドアを開いた状態の外観図である。
【図１３】実施の形態に係る画像読取記録装置のカートリッジドアのセンサ配置図である。
【図１４】実施の形態に係る画像読取記録装置の電気基板の配置組立図である。
【図１５】実施の形態に係る画像読取記録装置の電源部の詳細図である。
【図１６】実施の形態に係る画像読取記録装置の電気基板取り付けの平面図である。
【図１７】実施の形態に係る画像読取記録装置の電気基板取り付けかつパネル部を取り付けた状態図である。
【図１８】従来の画像読取記録装置を示す斜視図である。
【符号の説明】
１　パネル部
２　画像読取部
３　記録部
４　電気基板部
５　カードスロット部
２１　圧板
２２　圧板白シート
２３　ガラス
２４　ＣＩＳ
２６　タイミングベルト
２７　ＣＩＳホルダー
２８　モータ
２９　プーリー
３０　ＡＳＦベース
３１　記録紙補助トレイ
３１ａ　ヒンジ部
３２　記録紙トレイ
３２ａ　ヒンジ部
３３　スライダー
３４　給紙ローラ
３５　分離ローラ
３６　中板
３７ａ　搬送ローラ
３７ｂ　ピンチコロ
３８ａ　カラーインクタンク
３８ｂ　ブラックインクタンク
３９　カートリッジ
４１　制御基板
４４　中継基板
４５　電源
１２０　スキャナフレーム
１２２　駆動ギア部
１２３　突き当て基準白
１２５　カバー
１３０　排紙ローラ対
１３１　記録紙排紙トレイ
１３２　記録紙排紙補助トレイ
１３３　カートリッジドア
２００　ミドルフレーム
３００　ボトムケース
【図１】
2004093737.tif 000003
【図２】
2004093737.tif 000004
【図３】
2004093737.tif 000005
【図４】
2004093737.tif 000006
【図５】
2004093737.tif 000007
【図６】
2004093737.tif 000008
【図７】
2004093737.tif 000009
【図８】
2004093737.tif 000010
【図９】
2004093737.tif 000011
【図１０】
2004093737.tif 000012
【図１１】
2004093737.tif 000013
【図１２】
2004093737.tif 000014
【図１３】
2004093737.tif 000015
【図１４】
2004093737.tif 000016
【図１５】
2004093737.tif 000017
【図１６】
2004093737.tif 000018
【図１７】
2004093737.tif 000019
【図１８】
2004093737.tif 000020